(57)【特許請求の範囲】
【請求項１】
躯体の上部に立設する手摺であって、支柱と支柱補強材とを備えており、支柱は、内部に支柱補強材を挿通しており、支柱補強材は、その下部を躯体に埋設してあると共に、支柱の下端は、躯体の内部に埋設せずに躯体の上部と隙間をあけて配置してあり、支柱補強材は、支柱の内周側に四隅が当接する中実材であるとともに、外周側部の四周すべてが肉抜きしてあることを特徴とする手摺。
【発明の詳細な説明】
【技術分野】
【０００１】
本発明は、躯体の上に設置する手摺に関するものである。
【背景技術】
【０００２】
ベランダやバルコニーに適用される手摺の施工にあっては、内部に支柱補強材を挿入した状態の支柱を躯体に設けた埋設穴に入れ、その支柱下部の周囲にモルタル等の充填剤を充填して、支柱下部と共に埋設穴を固める手法が一般的であった。
【先行技術文献】
【特許文献】
【０００３】
【特許文献１】特開２００７−１３８６５１号公報
【発明の概要】
【発明が解決しようとする課題】
【０００４】
上述した施工方法では、支柱と支柱補強材との間に空隙があることから、その支柱下部を躯体に埋設したときには、支柱上部から支柱内部へ浸入した雨水等がその壁部内周面や支柱補強材をつたって躯体の埋設穴の底に溜まり、これが躯体のコンクリートを劣化させ、さらに、支柱補強材を固定するアンカーを腐食する問題点があった。
【０００５】
本発明は上記課題を鑑みてなされたものであり、支柱を躯体に埋設して支持したときに、上部構造物からの雨水等の浸水により躯体が劣化することのない手摺を提供することにある。
【課題を解決するための手段】
【０００６】
本発明は、躯体の上部に立設する手摺であって、支柱と支柱補強材とを備えており、支柱は、内部に支柱補強材を挿通しており、支柱補強材は、その下部を躯体に埋設してあると共に、支柱の下端は、躯体の内部に埋設せずに躯体の上部と隙間をあけて配置してあり、支柱補強材は、支柱の内周側に四隅が当接する中実材であるとともに、外周側部の四周すべてが肉抜きしてあることを特徴とする。
【発明の効果】
【０００８】
本発明の請求項１記載の発明によれば、躯体の埋設穴には支柱補強材のみを挿入し、さらに埋設穴に充填剤を充填して固めると共に、支柱の下端は、躯体から隙間をあけた位置に配置されることから、支柱内部に浸水した雨水などが支柱壁部内周や支柱補強材をつたって流れ落ちたときに、埋設穴に浸水して躯体内部に滞留することなく、支柱下端の隙間から躯体の上面に落ちてそのまま排水されていく。したがって、浸水により躯体を劣化させることがなく、躯体内部のアンカーなどの金具類を腐食させることもないので、外的影響を受けにくく耐用年数の長い手摺を提供することができる。
【図面の簡単な説明】
【００１０】
【図１】本実施による手摺の（ａ）は、図３中のＣ−Ｃ線縦断面図であり、（ｂ）は（ａ）中Ｂを拡大して示す縦断面図であり、（ｃ）は、図１（ａ）中のＡ−Ａ線横断面図である。
【図２】（ａ）〜（ｃ）は、本実施による手摺の施工手順を示す斜視図である。
【図３】本実施による手摺の要部を拡大して示す斜視図である。
【図４】本発明の他の実施形態を示す（ａ）は、縦断面図であり、（ｂ）は、一部を拡大した斜視図である。
【図５】本発明の他実施形態を示すものであり、（ａ）（ｂ）は、右図から支柱補強材の斜視図、その支柱補強材を適用した手摺の縦断面図、（ａ）中Ｄ−Ｄ線または（ｂ）中Ｅ−Ｅ線横断面図である。
【発明を実施するための最良の形態】
【００１１】
以下に、各図面に基づいて本実施による手摺の説明をする。
本実施による手摺は、図３のように、コンクリート製の躯体５の上部に設置される複数の支柱１と、フェンス１０（笠木２、横桟６、縦桟７、ブラケット８等）とからなっており、支柱１の内部には補強用の支柱補強材３が挿通している。また、本実施における手摺は、ベランダやバルコニー用の手摺に適用され、その躯体５は、足場を形成しており、排水を考慮して上面全体が建物側（一側）に向けてなだらかに下向きに傾斜している。また、躯体５に設けられる埋設穴Ｈは、支柱１の外周よりも大きな横断面ほぼ矩形状に設けられており、その埋設穴Ｈにモルタル（充填剤）４を充填して支柱補強材３及び上部構造物であるフェンス１０を支持している。尚、充填剤については、モルタル４の他、生コンなどを打設してもよい。
【００１２】
支柱１は、図１（ａ）のように、アルミ製の中空押出し形材によるほぼ矩形筒型をなし、その内部Ｓに支柱補強材３を挿通するための挿通空間を有している。また、支柱１の上部には笠木２を固定するためのブラケット８が取り付けてあり、また、支柱１の長手方向中間部には、笠木２及びブラケット８と上下に間隔をあけて平行する横桟６が取り付けてあり、ブラケット８と横桟６の間には多数の縦桟７が間隔をあけて配してあり、以上の各部によりフェンス１０を形成している。また、支柱１内部Ｓ下側には、支柱補強材３が挿通してあり、その支柱補強材３は、図１（ｃ）のように、支柱１の四隅内周側にそれぞれ当接するほぼＸ字型の横断面を有している。
【００１３】
そして、上記のように形成した手摺を躯体５上面に設置したとき、支柱補強材３の下部が躯体５の埋設穴Ｈに入ると共に、埋設穴Ｈにモルタル（充填剤）４を充填することで支柱補強材３下部の周囲が固められている。そして、躯体５上部から露出した支柱補強材３の上部に支柱１が挿入してあり、支柱補強材３により支柱１を起立した状態を保ち支持する。また、支柱１の下端部は、躯体５の上部に配置されることから、支柱１下端と躯体５上部の間に隙間Ｆが設けられるので、図１（ｃ）のように、その隙間Ｆから支柱１の壁部の外周面あるいは内周面をつたって流れ落ちた雨水Ｗなどが躯体５上面に排水される。これにより、躯体５の内部に雨水Ｗが滞留しないことから、躯体５の劣化が防がれることになる。
【００１４】
以上のように形成された本実施による手摺の施工手順を図２（ａ）〜（ｃ）に基づいて以下に説明する。第一の工程として、図２（ａ）のように、躯体５の上部外側に、躯体５長手方向に沿って間隔をあけて埋設穴Ｈを設ける。第二の工程として、図２（ｂ）のように、埋設穴Ｈにモルタル４を充填する。第三の工程として、図２（ｃ）のように、モルタル４が固まって支柱補強材３が躯体５に固定された後、その露出した支柱補強材３上部に支柱１を挿通することで、図３のような手摺が完成する。このとき、支柱補強材３に挿通する支柱１については、笠木２や縦桟７などの手摺の上部構造物をユニット化したフェンス１０として組み立て済みのものを取り付けることもできる。
【００１５】
また、図４（ａ）（ｂ）は、本発明の手摺の他の実施形態である。この手摺は、躯体５に設けたアンカー９で上部構造物を支持するものであり、本実施による支柱補強材２３には、躯体５内部に設けてあるアンカー９側の固定具１１に固定する固定具受け孔２３ａが設けてある。躯体５の埋設穴Ｈの底面にアンカーボルト９ａ付きのアンカー９を配置し、そのアンカー９の上部中央に溶接してある固定具１１に支柱補強材２３の固定具受け孔２３ａを固定する。そして、固定具受け孔２３ａに、シリコンゴム等の防水及び撥水性と弾性を兼ね備える素材で形成されたバックアップ材１２を上方から圧入して塞ぎ、この状態の支柱補強材２３の下部を埋設穴Ｈに入れると共に、その埋設穴Ｈにモルタル４を充填する。最後に、支柱補強材２３に支柱１をその下端がモルタル４に近接する位置まで挿入してフェンス１０を設置する。このように形成することにより、支柱補強材２３をアンカー９に固定する現場においても、バックアップ材１２によって支柱補強材２３の固定具受け孔２３ａからの浸水を防いで躯体５内部への雨水Ｗの滞留を防ぐことができる。
【００１６】
また、図５（ａ）（ｂ）は、本発明の手摺の他実施形態として、想定荷重によって支柱補強材の形状が相違するものである。図５（ａ）のものは、比較的小さな荷重に耐え得る設計がなされたものであり、支柱補強材３３の断面が縦横５：３の比率で成形されており、その長辺側の両端部を支柱１内周壁面に当接し、支柱１を内部から支持するものである。また、図５（ｂ）に示すものは、比較的大きな荷重に耐え得る設計がなされたものであり、支柱補強材４３の四辺が同一寸法で成形してあると共に、支柱１の内周壁面の四周すべてに当接し、支柱補強材４３で支柱１を支持するものである。このように形成しても、支柱補強材３３，４３は、埋設穴Ｈに充填したモルタル４に埋設されると共に、支柱１の下端がモルタル４の上端面よりも僅かに上方に位置するので、支柱１内部に浸水した雨水Ｗが支柱１壁部内周面をつたって流れ落ちていっても躯体５上面に排水され、躯体５内に雨水Ｗが滞留することがない。
【００１７】
本発明の手摺は、上記実施形態のものに限らず、支柱補強材３については、支柱１の内部Ｓに挿通して支柱１を支持できると共に、埋設穴Ｈに埋設されたときに充填剤４を充填しても上方に突出できる一定の長さを有するものであればよい。また、支柱１下端と躯体５の隙間Ｆについては、あまりにも躯体５との間隔が開きすぎると、その隙間Ｆから躯体５側から支柱１内部Ｓに雨水Ｗが吹き込む場合があるので、支柱１下端の一部のみに隙間Ｆを作る程度でよい（図１（ｂ）参照）。さらに、支柱補強材２３，３３，４３のように固定具受け孔２３ａ，３３ａ，４３ａを有し、そこにバックアップ材１２を嵌め入れるものについては、アンカー９を配置しない躯体５においても使用することができる。
【符号の説明】
【００１８】
１  支柱
３，２３，３３，４３  支柱補強材
４  モルタル（充填剤）
５  躯体
Ｈ  埋設穴
Ｓ  内部
Ｆ  隙間
【図１】
0005844989.tif 000002
【図２】
0005844989.tif 000003
【図３】
0005844989.tif 000004
【図４】
0005844989.tif 000005
【図５】
0005844989.tif 000006